(57)【特許請求の範囲】
【請求項１】
第一光源モジュールと、
前記第一光源モジュールの周囲を囲む第二光源モジュールと、
前記第一光源モジュールと前記第二光源モジュールとを保持する筐体と、
前記第一光源モジュールが前記第二光源モジュールに対して回転するように、前記第一光源モジュールを前記筐体に対して回転させる回転機構と、を備え、
前記第一光源モジュールの１／２ビーム角が前記第二光源モジュールの１／２ビーム角よりも小さく、
前記第一光源モジュールが発する光の相関色温度は、前記第二光源モジュールが発する光の相関色温度よりも高い
照明装置。
【請求項２】
前記筐体は、開口部を有し、
前記第二光源モジュールは、前記開口部を囲むようにリング状に形成されており、
前記第一光源モジュールは、前記回転機構によって前記開口部を開閉するように回転する
請求項１に記載の照明装置。
【請求項３】
前記第一光源モジュールは、光の相関色温度が５４００Ｋから７０００Ｋ、Ｄｕｖが−６以上５以下の範囲、The CIE 1997 Interim Color Appearance Model(Simple Version)
で規定される算出方法を用いて求められたクロマ値が２．７以下、平均演色評価数Ｒａが８０以上となる分光放射特性を有する第一発光素子を備え、
前記第二光源モジュールは、前記第一発光素子が発する光の相関色温度よりも低い相関色温度となる分光放射特性を有する第二発光素子を備える
請求項１または２に記載の照明装置。
【請求項４】
前記第一発光素子の光照射面側に、当該第一発光素子から発せられた光を、前記照明装置の中心軸に向けて屈折させる光学部材が配置されている
請求項３に記載の照明装置。
【請求項５】
前記第一光源モジュールが発する光の５７０ｎｍ以上７８０ｎｍ以下の範囲内の少なくとも一部の波長の光強度を低減する
請求項１〜４のいずれか一項に記載の照明装置。
【請求項６】
前記第一光源モジュールの出力と前記第二光源モジュールの出力とを個別に制御する制御部を備える
請求項１〜５のいずれか一項に記載の照明装置。
【請求項７】
前記第一光源モジュールの出力を前記第二光源モジュールの出力に連動させて制御する制御部を備える
請求項１〜５のいずれか一項に記載の照明装置。
【発明の詳細な説明】
【技術分野】
【０００１】
本発明は、照明装置に関し、特に加齢に伴う視機能変化を補正するための照明装置に関する。
【背景技術】
【０００２】
高齢化社会の到来により高齢者にとって快適な環境の構築が強く求められている。その中でも照明による視環境の整備は急務である。このため、加齢による人間の視覚系の変化をどのように照明で補正するかを明確にする必要がある。加齢による主な視機能変化としては、（ａ）水晶体の透過率の低下、特に短波長域での透過率の低下と、（ｂ）白内障（水晶体の白濁化）による視界のかすみ（眼球内散乱）などがある。
【０００３】
（ａ）に関しては、特許文献１に記載されるように、水晶体透過率が低下する波長域の光を増強、いわゆる高色温度にすることにより、網膜上に青色光の到達率を高める照明が高齢者用として推奨されている。
【０００４】
また、（ｂ）も考慮するべく、特許文献２に記載されるように、青色光の成分を増強させる方式もある。特許文献２では、主に眩しさ感への影響が強い波長域（４７０ｎｍ以上、５３０ｎｍ以下）を低減することにより、眩しさを抑えてコントラスト感度、明度及び彩度を高く感じる効果を付加した照明が推奨されている。
【０００５】
同様に、（ｂ）を考慮するべく、特許文献３に記載されるように、周辺光による眼球内散乱を低下させるために、可変色ウォールの調整をする方式もある。
【先行技術文献】
【特許文献】
【０００６】
【特許文献１】特開２００３−２３７４６４号公報
【特許文献２】特開平４−１３７３０５号公報
【特許文献３】特開２００５−３０２５００号公報
【発明の概要】
【発明が解決しようとする課題】
【０００７】
しかし、高齢者にとって、視作業をするために必要な明るさは若年齢者の２〜５倍と言われるほど高い。このため、高齢者に対して、眩しさを感じさせることなく高照度の光を与え、かつ色の鮮やかさを高く感じさせることができる照明装置が望まれている。
【０００８】
このため、本発明の目的は、高齢者が眩しさを感じることを抑えつつ、高齢者に対して文字や観察対象物の色の彩度が低下して見えるのを抑制することのできる照明装置を提供することである。
【課題を解決するための手段】
【０００９】
本発明の一態様に係る照明装置は、第一光源モジュールと、第一光源モジュールの周囲を囲む第二光源モジュールとを備え、第一光源モジュールの１／２ビーム角が第二光源モジュールの１／２ビーム角よりも小さく、第一光源モジュールが発する光の相関色温度は、第二光源モジュールが発する光の相関色温度よりも高い。
【発明の効果】
【００１０】
本発明によれば、高齢者が眩しさを感じることを抑えつつ、高齢者に対して文字や観察対象物の色の彩度が低下して見えるのを抑制することができる。
【図面の簡単な説明】
【００１１】
【図１】実施の形態に係る照明装置の概略構成を示す斜視図である。
【図２】実施の形態に係る照明装置の概略構成を示す分解斜視図である。
【図３】実施の形態に係る照明装置の器具本体等を示す模式断面図である。
【図４】実施の形態に係る第一配光部の一例を模式的に示す断面図である。
【図５】実施の形態に係る第一配光部の他の例を模式的に示す断面図である。
【図６】実施の形態に係る第一配光部の他の例を模式的に示す断面図である。
【図７】実施の形態に係る第一光源モジュールが開口部を開放した状態を示す説明図である。
【図８】実施の形態に係る第一光源モジュールと第二光源モジュールとの配光曲線を示す説明図である。
【図９】実施の形態に係る照明装置の主制御構成を示すブロック図である。
【図１０】アンビエント照度におけるタスク照度の比率と、アンビエント照度との関係性を、高齢者にとっての上限値、最適値、下限値を示すグラフである。
【図１１】検証実験２における５０歳以上の被験者の評価結果を示すグラフである。
【図１２】検証実験２における５０歳未満の被験者の評価結果を示すグラフである。
【図１３】検証実験２における閾値となる基準照度比を算出した結果を示すグラフである。
【図１４】変形例に係る照明装置の器具本体等を示す模式断面図である。
【図１５】変形例に係るカバーの各部における透過率の違いを説明するための斜視図である。
【発明を実施するための形態】
【００１２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１３】
［全体構成］
以下、実施の形態に係る照明装置について説明する。
【００１４】
図１は、実施の形態に係る照明装置の概略構成を示す斜視図である。図２は、実施の形態に係る照明装置の概略構成を示す分解斜視図である。図３は、実施の形態に係る照明装置の器具本体等を示す模式断面図である。
【００１５】
図１〜図３に示すように、照明装置１０は、器具本体２０と、カバー３０と、第一光源モジュール４１と、第二光源モジュール４２と、回転機構５０とを備えている。照明装置１０は、例えば住宅等の建物の天井に設けられている引っ掛けシーリングボディ１に対して着脱自在に取り付けられる。
【００１６】
器具本体２０は、カバー３０と、第一光源モジュール４１と、第二光源モジュール４２とを保持するための筐体である。器具本体２０は、中央部に円形状の開口部２１を有するリング状に形成されている。この開口部２１を介して引っ掛けシーリングボディ１が第一光源モジュール４１と、第二光源モジュール４２とに電気的に接続される。
【００１７】
なお、器具本体２０は、例えばアルミニウム板又は鋼板等の板金をプレス加工することによって上述した形状に成形される。器具本体２０の一方側の面である内面（床面側の面）には、反射性を高めて光取り出し効率を向上させるために、白色塗料が塗布、又は、反射性金属材料が蒸着されている。
【００１８】
カバー３０は、器具本体２０の内面全体を覆うための外カバーであり、器具本体２０に着脱自在に取り付けられている。すなわち、第一光源モジュール４１と、第二光源モジュール４２とは、カバー３０の内側に配置されている。カバー３０は、円形状のドーム状に形成されている。カバー３０は、透光性を有する樹脂材料、例えばアクリル（ＰＭＭＡ）、ポリカーボネート（ＰＣ）、ポリエチレンテレフタレート（ＰＥＴ）又はポリ塩化ビニル（ＰＶＣ）等で形成されている。これにより、第一光源モジュール４１と、第二光源モジュール４２とからカバー３０の内面に向けて出射した光は、カバー３０を透過してカバー３０の外部に取り出される。なお、カバー３０を例えば乳白色の樹脂材料で形成することにより、カバー３０に光拡散性を持たせてもよい。
【００１９】
第一光源モジュール４１は、例えば白色光を発するための第一の光源部である。第一光源モジュール４１は、器具本体２０の開口部２１を開閉するように、器具本体２０の略中央部に取り付けられている。具体的には、第一光源モジュール４１は、円板状の基板４１１と、基板４１１の実装面（床側の面）に実装された複数の第一発光素子４１２と、複数の第一発光素子４１２が発した光の配光を制御する第一配光部４１３とを備えている。
【００２０】
基板４１１は、複数の第一発光素子４１２を実装するためのプリント配線基板である。基板４１１には、複数の第一発光素子４１２を実装するための、配線パターン（図示省略）が形成されている。配線パターンは、第一発光素子４１２と、回路部（定電力出力回路１１及び制御回路１２など：図９参照）とを電気的に接続することにより、回路部からの直流電流を第一発光素子４１２の各々に供給するための配線パターンである。
【００２１】
複数の第一発光素子４１２は、基板４１１の実装面に対して概ね均等に配列されている。複数の第一発光素子４１２の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。
【００２２】
第一配光部４１３は、複数の第一発光素子４１２が発した光を、照明装置１０の中心軸Ｓ（図２参照）に向けて屈折させる光学部材である。つまり、第一配光部４１３は、複数の第一発光素子４１２が発した光の配光角を制御するための光学部材である。
【００２３】
図４は、実施の形態に係る第一配光部４１３の一例を模式的に示す断面図である。
【００２４】
図４に示すように第一配光部４１３は、各第一発光素子４１２の周囲を囲むように基板４１１上に立設した反射部材４１３１である。反射部材４１３１は、基板４１１側を底辺とした断面視二等辺三角形状に形成されている。反射部材４１３１の側面が反射面となり、各第一発光素子４１２から発せられた光を、中心軸Ｓに向けて反射（屈折）させることになる。これにより、第一配光部４１３がない場合と比べて、第一光源モジュール４１の配光角を小さくすることができる。
【００２５】
なお、第一配光部４１３は、第一光源モジュール４１の配光角を小さくすることができるのであればいかなる形態であってもよい。
【００２６】
図５及び図６は、実施の形態に係る第一配光部の他の例を模式的に示す断面図である。
【００２７】
図４に示した第一配光部４１３では、各第一発光素子４１２を反射部材４１３１によって個別に囲んでいるが、図５に示す第一配光部４１３Ａでは、複数の第一発光素子４１２を反射部材４１３１ａによって囲んでいる。これにより、複数の第一発光素子４１２から発せられた光を反射部材４１３１ａで一括して反射することで、当該光を内方に向けて反射させて、第一光源モジュール４１全体の配光角を小さくすることができる。
【００２８】
図６に示す第一配光部４１３Ｂは、各第一発光素子４１２の光出射面にそれぞれに対向して設けられたレンズである。この第一配光部４１３Ｂが、各第一発光素子４１２から発せられた光を内方に向けて屈折させることで、第一光源モジュール４１全体の配光角を小さくすることができる。
【００２９】
図１〜図３に示すように、第二光源モジュール４２は、例えば白色光を発するための第二の光源部である。第二光源モジュール４２は、リング状の基板４２１と、基板４２１の実装面（床側の面）に実装された複数の第二発光素子４２２と、複数の第二発光素子４２２が発した光の配光を制御する第二配光部４２３とを備えている。
【００３０】
基板４２１は、複数の第二発光素子４２２を実装するためのプリント配線基板である。基板４２１には、複数の第二発光素子４２２を実装するための、配線パターン（図示省略）が形成されている。配線パターンは、複数の第二発光素子４２２と、回路部（定電力出力回路１１及び制御回路１２など：図９参照）とを電気的に接続することにより、回路部からの直流電流を第二発光素子４２２の各々に供給するための配線パターンである。
【００３１】
複数の第二発光素子４２２は、基板４２１に対して多重のリング状となるように配列されている。複数の第二発光素子４２２の各々は、例えば、表面実装型の白色ＬＥＤ素子である。
【００３２】
第二配光部４２３は、複数の第二発光素子４２２が発した光の配光角を制御するための光学部材である。具体的には、第二配光部４２３は、各第二発光素子４２２の光照射面側に対向して配置されたレンズである。なお、第二配光部４２３は、レンズでなくとも第一配光部４１３と同様な反射部材であってもよい。
【００３３】
回転機構５０は、第一光源モジュール４１の基板４１１を回転自在に保持する回転軸５１と、第一光源モジュール４１の回転を規制する規制軸５２とを備えている。
【００３４】
回転軸５１は、器具本体２０における開口部２１の周縁から立設した軸体である。この回転軸５１の先端部に、第一光源モジュール４１の基板４１１が回転自在に支持されている。
【００３５】
規制軸５２は、器具本体２０における開口部２１の周縁から立設した軸体である。規制軸５２は、開口部２１を介して回転軸５１に対向する位置に配置されている。規制軸５２の先端部に、第一光源モジュール４１の基板４１１が係合することによって、当該基板４１１の回転を規制する。
【００３６】
図７は、実施の形態に係る第一光源モジュール４１が開口部２１を開放した状態を示す説明図であり、図７の（ａ）は器具本体２０の斜視図、図７の（ｂ）は器具本体２０の断面図である。
【００３７】
図２及び図３では、第一光源モジュール４１が開口部２１を閉塞した状態を示しており、この状態から、回転軸５１を中心に第一光源モジュール４１の基板４１１を回転させることで、図７に示すように、開口部２１を開放することができる。このように開口部２１が露出すれば、引っ掛けシーリングボディ１と、第一光源モジュール４１及び第二光源モジュール４２との電気的な接続も容易に行うことが可能である。
【００３８】
次に、第一発光素子４１２と、第二発光素子４２２とについて詳細に説明する。
【００３９】
第一発光素子４１２は、光の相関色温度が５４００Ｋから７０００Ｋ、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有している。ここで、クロマ値は視対象物の白さ感を定量的に評価できる指標であり、クロマ値が高いと色みが強く、低いと色みが弱いことを意味する。すなわちクロマ値が低いということは白さ感が高いということになる。そして、クロマ値２．７以下で相関色温度５４００Ｋ以上７０００Ｋ以下、色偏差Ｄｕｖが−６以上５以下の範囲を実現するスペクトルを有する光の下では、紙面の印刷文字の読みやすさが高められることが分かっている（例えば特開２０１４−７５１８６号公報等）。さらに、平均演色評価数Ｒａは、忠実な色の再現性を評価する指標であり、ＪＩＳ  Ｚ９１１２「蛍光ランプの光源色及び演色性による区分」においてその指標の目安が示されている。具体的には、平均演色評価数Ｒａは８０以上であることがよい。第一発光素子４１２が上記の分光放射特性を有していれば、紙面の印刷文字の読みやすさを高めつつも、忠実に色を再現することが可能である。
【００４０】
第二発光素子４２２は、第一発光素子４１２が発する光の相関色温度よりも低い相関色温度となる分光放射特性を有している。
【００４１】
図８は、実施の形態に係る第一光源モジュール４１と第二光源モジュール４２との配光曲線を示す説明図である。
【００４２】
図８に示すように、カバー３０を透過した後における第一光源モジュール４１の配光曲線Ａ１は、カバー３０を透過した後における第二光源モジュール４２の配光曲線Ａ２よりも全体として小さい。そして、カバー３０を透過した後の第一光源モジュール４１の１／２ビーム角θａは、第二光源モジュール４２の１／２ビーム角θｂよりも小さい。ここで、１／２ビーム角とは、照明装置１０から出射した光の最大光度の１／２となる光度方向と光軸（中心軸Ｓ）とがなす角度の２倍の角度のことである。
【００４３】
第一光源モジュール４１の１／２ビーム角θａと、第二光源モジュール４２の１／２ビーム角θｂとが上記の関係となるように、第一発光素子４１２及び第二発光素子４２２のそれぞれのレイアウトと、第一配光部４１３及び第二配光部４２３の光学特性などが設定されている。
【００４４】
これにより、第一光源モジュール４１が発する光は、照明装置１０の直下のタスク領域を照らすことになり、タスク照明を実現する。他方、第二光源モジュールが発する光は、タスク領域の周囲のアンビエント領域を照らすことになり、アンビエント照明（室内の環境照明）を実現する。
【００４５】
図９は、実施の形態に係る照明装置１０の主制御構成を示すブロック図である。
【００４６】
図９に示すように、照明装置１０は、定電力出力回路１１と、制御回路１２とを備えている。
【００４７】
定電力出力回路１１は、第一発光素子４１２と第二発光素子４２２とに対して定電力を付与するための回路である。
【００４８】
制御回路１２は、定電力出力回路１１を制御することで、複数の第一発光素子４１２の出力と複数の第二発光素子４２２の出力とを連動して制御する制御部である。制御回路１２は、例えば、図示しない点灯スイッチがＯＮされたことにより、点灯用の外部信号が入力されると、定電力出力回路１１を制御して、複数の第一発光素子４１２の出力と複数の第二発光素子４２２の出力とを連動して制御する回路である。
【００４９】
複数の第一発光素子４１２は、複数組に組分けされており、各組の第一発光素子４１２が定電力出力回路１１に並列に電気的に接続されている。そして、各組においては、複数の第一発光素子４１２が直列に電気的に接続されている。
【００５０】
同様に、複数の第二発光素子４２２は、複数組に組分けされており、各組の第二発光素子４２２が定電力出力回路１１に並列に電気的に接続されている。そして、各組においては、複数の第二発光素子４２２が直列に電気的に接続されている。
【００５１】
これにより、制御回路１２は、定電力出力回路１１を制御することによって、第一光源モジュール４１の第一発光素子４１２と、第二光源モジュール４２の第二発光素子４２２とを連動して制御することができる。
【００５２】
［検証実験１］
作業時における環境照明の影響が高齢者と若齢者とでどれほど違うか実験で検証した。
【００５３】
実験では、高齢者１２名（６５〜７５歳）と、若齢者５名（２１〜２３歳）を被験者とした。実験は遮光カーテンで覆った実験室（４m×４m×２．７m）で行った。実験室の真中には、机を設置し、その上にタスクライトを作業台から３０ｃｍの高さに設置した。実験では、アンビエント照度が異なる各照明条件化（５０ｌｘ、１５０ｌｘ、７５０ｌｘ）で被験者一人ずつが、「これ以上の照度であれば作業面の明るさが暗すぎる」と感じ始める下限値、「これ以上の照度であれば作業の明るさが明るすぎる」と感じ始める上限値、「最も作業に適している」と感じる最適値を選定した。
【００５４】
その結果、高齢者は、若齢者に比べて高い照度で暗すぎると訴え、低い照度で明るすぎると訴えた。つまり、高齢者は若齢者よりも照度の許容範囲が狭いことが分かり、このことから、高齢者に対してはより注意深い照明計画が必要であることが分かった。
【００５５】
また、高齢者にとって適切なアンビエント照度とタスク照度との関係は、アンビエン照度が１５以上１０００以下［ｌｘ］の範囲であると、タスク照度は２２０以上１０００以下［ｌｘ］、好ましくは４５０以上１０００以下［ｌｘ］であることが分かった。タスク照度とは第一光源モジュール４１が発する光の照度であり、アンビエント照度とは第二光源モジュール４２が発する光の照度である。
【００５６】
高齢者はアンビエント照度が高くなると眩しさを感じ易くなるため、最適照度がアンビエント照度に対して負の相関となる。
【００５７】
図１０は、アンビエント照度におけるタスク照度の比率と、アンビエント照度との関係性を、高齢者にとっての上限値、最適値、下限値を示すグラフである。図１０では、上限値、最適値、下限値のそれぞれの近似曲線も示している。
【００５８】
この上限値、下限値の範囲で、アンビエント照度に応じてタスク照度を連動させれば、個人差にも対応できる高齢者のための光環境を実現できる。具体的には、制御回路１２が、定電力出力回路１１を制御することによって、第一光源モジュール４１の第一発光素子４１２と、第二光源モジュール４２の第二発光素子４２２とを連動させて制御すればよい。
【００５９】
例えば、アンビエント照度の範囲が１５０以上１０００［ｌｘ］の場合では、タスク照度＝アンビエント照度×２８５０×アンビエント照度-1.28とする。一方、アンビエント照度の範囲が１５０［ｌｘ］未満の場合では、タスク照度を７００［ｌｘ］で固定するか、タスク照度＝アンビエント照度＋５５０［ｌｘ］とする。
【００６０】
このように、アンビエント照度に連動させてタスク照度を制御すれば、高齢者各個人に適切なタスク照度を自動的に実現することができる。
【００６１】
［検証実験２］
次に、照度と、光色による読みやすさ感との関係について実験により検証した。
【００６２】
実験は、主観評価実験とし、紙面に印刷された文字の照度と光色（相関色温度）による読みやすさ感を評価してもらった。照度レベルは３００以上１０００以下[ｌｘ]とし、色温度はＪＩＳＺ９１１２「蛍光ランプの光源色及び演色性による区分」に記載されている白色光の色度範囲を考慮して、２７００以上７０００以下[Ｋ]とした。
【００６３】
視対象物を平均的な無地のコピー用紙とし、小田氏読書チャート（ＭＮＲＥＤ−Ｊ）から引用した、新聞紙の活字サイズである７［ｐｔ］の３０文字を紙面の中心に印刷し、視距離４００［ｍｍ］とした。照明光にはキセノンランプに液晶フィルタを組み合わせ、液晶フィルタを制御することにより様々なスペクトル光の放射が可能な装置を用いた。照明光の光色は２７００、５０００、６０００、７０００［Ｋ］の４水準、紙面中心照度は３００、５００、６００、７５０、１０００［ｌｘ］の５水準とし、被験者は２３〜６９歳の男女３０名とした。
【００６４】
実験の手順として、光色はランダムに４水準を提示し、選択した光色で照度のみを可変とし上昇系列で５水準提示した。まず、被験者は、３分間の提示照明光下、無地の紙面での順応後、１０秒間のタスク（３０文字が印刷されている紙面を黙読）をしてから、主観評価をした。次いで被験者は、１分間順応後、１０秒間のタスク、主観評価を計５回繰り返した。次に光色を変え同様の手順を計４回繰り返した。
【００６５】
主観評価の評価手法は７段階評価とし、印刷文字の「読みやすさ感」を『非常に読みやすい』、『かなり読みやすい』、『やや読みやすい』、『どちらでもない』、『やや読みにくい』、『かなり読みにくい』、『非常に読みにくい』から被験者に選択させた。
【００６６】
図１１は検証実験２における５０歳以上の被験者の評価結果を示すグラフであり、図１２は検証実験２における５０歳未満の被験者の評価結果を示すグラフである。
【００６７】
図１１及び図１２の横軸は照度、縦軸は読みやすさ感の評価値であり、被験者３０名の平均値をプロットしている。なお、読みやすさ感の評価値としては、『非常に読みやすい』、『かなり読みやすい』、『やや読みやすい』、『どちらでもない』、『やや読みにくい』、『かなり読みにくい』、『非常に読みにくい』を３、２、１、０、−１、−２、−３とし算術平均で求めた。図１１及び図１２から明らかなように、５０歳以上と５０歳未満のいずれにおいても、照度が上昇するほど読みやすさ感も上昇しているが、光色によりその増加率は異なる。特に、５０歳以上では高色温度７０００Ｋでの読みやすさ感が他の色温度に比較して高くなっている。このことから、５０歳以上の高齢者に対しては、高色温度による文字見え改善が示された。つまりタスク照度においては、アンビエント照度よりも光色を高めることがよい。
【００６８】
また、高齢者の色の見えを評価するため、『鮮やかさ感』評価実験を実施した。
【００６９】
実験は、照明条件を３種（基準光：５０００Ｋ（汎用）、ＴＥＳＴ１：６２００Ｋ（汎用）、ＴＥＳＴ２：６２００Ｋ（高演色））、基準光照度を３水準（５００、７５０、１０００［ｌｘ］）、被験者を４５〜６５歳（中年期）の男女６名、２５〜４４歳（壮年期）の男女４名の計１０名とした。基準光、ＴＥＳＴ１、２のダウンライト１２０φを評価ＢＯＸ（寸法：Ｗ３００×Ｄ３００×Ｈ５００［ｍｍ］／内装：Ｎ７）に設置し、基準光用の評価ＢＯＸを右、ＴＥＳＴ用の評価ＢＯＸを左に配置し一対比較を実施した。視対象はＪＩＳ試験色（Ｒ９赤、Ｒ１０黄、Ｒ１１緑、Ｒ１２青）、Ｎ５（明度５／グレー）の色紙の中央に一辺７５［ｍｍ］の窓を設けＪＩＳ試験色を窓に配置した。この時、視距離４００［ｍｍ］で試験色の視角寸法を１０．７度となるようにした。
【００７０】
評価手法として極限法を用い、基準光の照度を固定、ＴＥＳＴ１またはＴＥＳＴ２の照度を可変とし、一対比較で色票が『鮮やか』に見える評価ＢＯＸ（基準光用の評価ＢＯＸとＴＥＳＴ用の評価ＢＯＸの一方）を選択させた（２件法）。実験は上昇系列、下降系列の各系列３回繰り返した。
【００７１】
実験手順として、被験者は３分間、基準光用の評価ＢＯＸ内の試験色を配置していないＮ５の色紙で順応する。その後、基準光用の評価ＢＯＸとＴＥＳＴ用の評価ＢＯＸに試験色を配置し、基準光照度は固定で、ＴＥＳＴ１またはＴＥＳＴ２の照度を調整する。具体的には、基準光の照度が５００［ｌｘ］のときは、ＴＥＳＴ１またはＴＥＳＴ２の照度を１５０以上５２０［ｌｘ］とする。また、基準光の照度が７５０［ｌｘ］のときは、ＴＥＳＴ１またはＴＥＳＴ２の照度を２５０以上８００［ｌｘ］とする。また、基準光の照度が１０００［ｌｘ］のときは、ＴＥＳＴ１またはＴＥＳＴ２の照度を４００以上１０６０［ｌｘ］とする。そして、一対比較で色票が『鮮やか』に見える評価ＢＯＸ（基準光用の評価ＢＯＸとＴＥＳＴ用の評価ＢＯＸの一方）を選択させ、始めと異なる評価ＢＯＸが選択された場合に一系列の評価を終了とする。具体的に、上昇系列時にはＴＥＳＴ用の評価ＢＯＸが選択された時点で評価を終了し、加工系列時には基準光用の評価ＢＯＸが選択された時点で終了とする。
【００７２】
そして、上昇系列と下降系列を交互に６回実施した後、試験色を入れ替えて同様の実験を４回繰り返した。
【００７３】
その後、ＴＥＳＴ用の評価ＢＯＸのＴＥＳＴ１またはＴＥＳＴ２を入れ替えてＮ５の色紙に１分間順応した後に試験色を配置し上昇系列と下降系列を交互に６回実施した後、試験色を入れ替えて同様の実験を４回繰り返した。
【００７４】
基準光が一定（３水準／５００、７５０、１０００［ｌｘ］）照度でＴＥＳＴ１またはＴＥＳＴ２が可変照度の両評価ＢＯＸ内の色票を比較し、選択した評価ＢＯＸが転換するテスト光の照度値の６回平均値（上昇系列３回、下降系列３回）を閾値とする。
【００７５】
図１３は、検証実験２における閾値となる基準照度比を算出した結果を示すグラフである。なお、基準照度比＝基準光照度（５００、７５０、１０００［ｌｘ］）／テスト光照度（閾値）である。また、ＴＥＳＴ２はＴＥＳＴ１の５７０以上７８０ｎｍ以下の範囲内の少なくとも一部の波長の光強度を低減したものである。
【００７６】
図１３に示すように、基準光５０００Ｋに対して、高色温度のＴＥＳＴ１またはＴＥＳＴ２ともに色の見え『鮮やかさ感』の向上効果が認められ、特に中年期で効果的であることが分かった。
【００７７】
また、ＴＥＳＴ２は各色（色票）の基準光照度比がほぼ等しく、５０００Ｋに対して、色味バランスが良くなる。これは好ましさに大きく寄与する。
【００７８】
ここで、一般的に、中高齢者は、若年齢者よりもグレアを感じやすく、さらに高色温度になるほどグレアが感じやすい。
【００７９】
以上のことから、加齢による文字みえ、色見えには高色温度にすることが有効であるが、高色温度にすることにより眼球内散乱が増加して、眩しさを感じやすくなることが分かる。このため、照明装置１０の直下のタスク領域（視認性が必要な領域）を高照度、高色温度にして、周辺（アンビエント領域）を低色温度にすることが、高齢者の視認性を高めることに有効であることが分かる。
【００８０】
これらのことにより、タスク領域を主に照明する第一光源モジュール４１が発する光の相関色温度を、アンビエント領域を主に照明する第二光源モジュール４２が発する光の相関色温度よりも高くすることで、高齢者の視認性を向上させることができる。
【００８１】
以上のように、本実施の形態によれば、照明装置１０は、第一光源モジュール４１と、第一光源モジュール４１の周囲を囲む第二光源モジュール４２とを備える。第一光源モジュール４１の１／２ビーム角は第二光源モジュール４２の１／２ビーム角よりも小さい。また、第一光源モジュール４１が発する光の相関色温度は、第二光源モジュール４２が発する光の相関色温度よりも高い。
【００８２】
これによれば、照明装置１０の直下のタスク領域を高照度、高色温度にして、周辺（アンビエント領域）を低色温度にすることができるので、高齢者が眩しさを感じることを抑えつつ、高齢者に対して文字や観察対象物の色の彩度が低下して見えるのを抑制することができる。
【００８３】
また、第一光源モジュール４１は、光の相関色温度が５４００Ｋから７０００Ｋ、Ｄｕｖが−６以上５以下の範囲、The CIE 1997 Interim Color Appearance Model(Simple Version)で規定される算出方法を用いて求められたクロマ値が２．７以下、平均演色評価数Ｒａが８０以上となる分光放射特性を有する第一発光素子４１２を備える。また、第二光源モジュール４２は、第一発光素子４１２が発する光の相関色温度よりも低い相関色温度となる分光放射特性を有する第二発光素子４２２を備える。
【００８４】
このように、第一発光素子４１２が上記の分光放射特性を有しているので、タスク領域における紙面の印刷文字の読みやすさを高めつつも、忠実に色を再現することが可能である。
【００８５】
また、照明装置１０は、第一光源モジュール４１と、第二光源モジュール４２とを保持する器具本体２０と、第一光源モジュール４１を器具本体２０に対して回転させる回転機構５０とを備える。
【００８６】
このように、回転機構５０によって第一光源モジュール４１が器具本体２０に対して回転するので、照明装置１０を天井に取り付ける際には、回転機構５０によって第一光源モジュール４１を回転移動させることができる。したがって、器具本体２０を引っ掛けシーリングボディ１に取り付ける際に、第一光源モジュール４１を退避させることができ、取り付け作業を容易に行うことが可能となる。
【００８７】
また、照明装置１０は、第一光源モジュール４１を第二光源モジュール４２に連動させて制御する制御回路１２を備える。
【００８８】
このように、制御回路１２が第一光源モジュール４１を第二光源モジュール４２に連動させて制御するので、アンビエント照度に応じてタスク照度を連動させることができ、個人差にも対応できる高齢者のための光環境を実現できる。
【００８９】
（その他の実施の形態）
以上、実施の形態に係る照明装置について説明したが、本発明は、上記実施の形態に限定されるものではない。なお、以下の説明において、上記実施の形態と同一の部分には同一の符号を付してその説明を省略する場合がある。
【００９０】
例えば、上記実施の形態では、第一光源モジュール４１が器具本体２０の開口部２１を開閉する構造を例示して説明したが、開口部２１を常に露出させる構造であってもよい。
【００９１】
図１４は、変形例に係る照明装置の器具本体等を示す模式断面図である。具体的には図１４は図３に対応する図である。
【００９２】
図１４に示すように、第一光源モジュール４１Ｃの基板４１１ｃは、リング状の基板であり、開口部２１を露出するように、第二光源モジュール４２の基板４２１の内方に配置されている。そして、第一光源モジュール４１Ｃの基板４１１ｃは器具本体２０に固定されている。
【００９３】
複数の第一発光素子４１２は、基板４１１ｃに対して多重のリング状となるように配列されて実装されている。
【００９４】
第一配光部４１３ｃは、複数の第一発光素子４１２が発した光の配光角を制御するための光学部材である。具体的には、第一配光部４１３ｃは、各第一発光素子４１２の光照射面側に対向して配置されたレンズである。第一配光部４１３ｃは、第一発光素子４１２から発せられた光を、照明装置１０の中心軸Ｓに向けて屈折させるように形成されている。これにより、開口部２１を露出させた状態であっても、複数の第一発光素子４１２を照明装置１０の直下に集光することができ、第一光源モジュール４１Ｃの１／２ビーム角を第二光源モジュール４２の１／２ビーム角よりも小さくすることができる。
【００９５】
ここで、第一光源モジュール４１Ｃが発する光の５７０ｎｍ以上７８０ｎｍ以下の範囲内の少なくとも一部の波長の光強度を低減するようにしてもよい。具体的には、第一配光部４１３ｃであるレンズを、５７０ｎｍ以上７８０ｎｍ以下の範囲内の少なくとも一部の波長の光強度を吸収する光吸収材を混合して形成すればよい。これにより、第一光源モジュール４１Ｃが発した光の色味バランスを高めることができる。
【００９６】
なお、５７０ｎｍ以上７８０ｎｍ以下の範囲内の少なくとも一部の波長の光強度を低減する光フィルタを、第一配光部４１３ｃとは別に設けて、複数の第一発光素子４１２の光出射面側に配置してもよい。
【００９７】
また、上記実施の形態では、制御回路１２が第一光源モジュール４１の出力を第二光源モジュール４２の出力に連動させて制御する場合について例示した。しかし、制御回路１２は、第一光源モジュール４１の出力と第二光源モジュール４２の出力とを個別に制御してもよい。これにより、第一光源モジュール４１と第二光源モジュール４２とのそれぞれの照度をより精細に制御することができる。
【００９８】
図１５は、変形例に係るカバーの各部における透過率の違いを説明するための斜視図である。
【００９９】
図１５に示すように、カバー３０における中心部３１、内周部３２及び外周部３３のそれぞれの透過率を、カバー３０の中心に近くなるにつれて高めてもよい。具体的には、中心部３１の透過率＞内周部３２の透過率＞外周部の透過率という関係である。これにより、照明装置１０における中心軸Ｓの照度を高めることができる。
【０１００】
なお、上記実施の形態及び変形例に記載された構成を任意に組み合わせて構築される形態も、本発明の範囲内に含まれる。
【符号の説明】
【０１０１】
１０  照明装置
１２  制御回路（制御部）
４１、４１Ｃ  第一光源モジュール
４２  第二光源モジュール
２０  器具本体（筐体）
５０  回転機構
４１２  第一発光素子
４１３、４１３Ａ、４１３Ｂ、４１３ｃ  第一配光部（光学部材）
４２２  第二発光素子
【図１】
0006628140.tif 000002
【図２】
0006628140.tif 000003
【図３】
0006628140.tif 000004
【図４】
0006628140.tif 000005
【図５】
0006628140.tif 000006
【図６】
0006628140.tif 000007
【図７】
0006628140.tif 000008
【図８】
0006628140.tif 000009
【図９】
0006628140.tif 000010
【図１０】
0006628140.tif 000011
【図１１】
0006628140.tif 000012
【図１２】
0006628140.tif 000013
【図１３】
0006628140.tif 000014
【図１４】
0006628140.tif 000015
【図１５】
0006628140.tif 000016